(57)【要約】      （修正有）【課題】組み立て状態で、ＰＴＰシート内の収容物を視認することができ、収容物を取り出す操作も容易に行うことができるＰＴＰ用包装体を提供する。【解決手段】台紙１２は、主折罫線１４を介して連続する第一及び第二外板１６，１８を備える。第一外板１６の先端部に延設された第一内板３２と、第二外板１８の先端部に延設された第二内板３８を備える。第一外板１６と第一内板３２の各内側に、ＰＴＰシートの突出部が係合可能な外側透孔２０と第一内側透孔３６を備える。第二内板３８の内側に、ＰＴＰシートの閉鎖部分に対応した大きさの第二内側透孔４２を備える。第二外板１８の内側に、開封用破断線２４ａ，２４ｂで区切られた開封部２２を備える。組み立て状態で、第一外板１６、第一内板３２、第二内板３８、第二外板１８が順に重なり、外側透孔２０、第一及び第二内側透孔３６，４２及び開封部２２が厚み方向に重なる。【選択図】図２
0003206241.tif 000002
【実用新案登録請求の範囲】
【請求項１】
収容物を内側に収容した突出部と前記突出部の周囲に設けられたフランジ部とを有するプラスチック成形体に、破断可能な薄形シートが貼り付けられて、前記突出部の開口端が閉鎖された閉鎖部分を有するＰＴＰシートを包装するためのＰＴＰ用包装体において、
１枚の台紙から成り、前記台紙は、主折罫線を介して互いに連続する第一及び第二外板を有し、
前記第一外板の内側には、前記突出部が係合可能な大きさの外側透孔が設けられ、前記第二外板の内側には、前記第二外板の一部を開口させるための開封部が、開封用破断線で区切られて設けられ、前記開封部には、前記開封部を引っ張るための摘み部が設けられ、
前記ＰＴＰシートは、前記突出部が前記外側透孔を通じて外側に突出し、前記フランジ部及び前記薄形シートが前記第一外板及び前記第二外板に挟まれて保持され、前記閉鎖部分が前記開封用破断線の間に位置した前記開封部に対向し、
使用者が、前記開封用破断線を破断させ、前記開封部を前記第二外板から引き離すと、記第二外板にできた開口から前記閉鎖部分が外に露出することを特徴とするＰＴＰ用包装体。
【請求項２】
前記第一外板の、前記主折罫線と反対側の端部に延設され、第一補助折罫線により前記第一外板と区切られた第一内板と、前記第二外板の、前記主折罫線と反対側の端部に延設され、第二補助折罫線により前記第二外板と区切られた第二内板とを有し、
前記第一内板の内側には、前記突出部が係合可能な大きさの第一内側透孔が設けられ、前記第二内板の内側には、前記薄形シートの、前記閉鎖部分に対応した大きさの第二内側透孔が設けられ、
組み立て状態で、前記第一内板は、前記第一補助折罫線が折れて前記第一外板に重なり、前記外側透孔と前記第一内側透孔とが連通し、前記第二内板は、前記第二補助折罫線が折れて前記第二外板に重なり、前記第二内側透孔が前記開封部に対向し、前記第一内板は、前記主折罫線が折れて前記第二内板に重なり、間に前記ＰＴＰシートを配した状態で、当該ＰＴＰシートに対面しない部分が前記第二内板に糊付けされ、
前記ＰＴＰシートは、前記突出部が前記外側透孔及び前記第一内側透孔を通じて外側に突出し、前記フランジ部及び前記薄形シートが前記第一内板及び前記第二内板に挟まれて保持され、前記閉鎖部分が前記第二内側透孔に対向している請求項１記載のＰＴＰ用包装体。
【請求項３】
前記第一及び第二内板は、組み立て状態で、前記第一及び第二外板の内側に収まる大きさに設けられている請求項２記載のＰＴＰ用包装体。
【請求項４】
前記開封部の摘み部は、前記第一及び第二外板の端部から突出して設けられ、使用者の指先が入る程度の大きさの透孔が設けられている請求項１、２又は３記載のＰＴＰ用包装体、
【考案の詳細な説明】
【技術分野】
【０００１】
本考案は、医療用の錠剤等を収容したＰＴＰシートの包装に使用されるＰＴＰ用包装体に関する。
【背景技術】
【０００２】
ＰＴＰシートは、従来から、医療用の錠剤等を収容する用途に広く使用されている。例えば、図５に示すＰＴＰシート１は、突出部２ａと突出部２ａの周囲に設けられたフランジ部２ｂとを有した透明又は半透明のプラスチック成形体２と、破断可能なアルミ箔等で成る薄形シート３とで構成され、プラスチック成形体２のフランジ部２ｂに薄形シート３を貼り付けることによって、収容物Ｓが入った突出部２ａの開口端を閉鎖している。突出部２ａの頂部を外側から指で押し込むと、薄形シート３の閉鎖部分３ａが収容物Ｓに押されて破断し、収容物Ｓが外に押し出され、収容物Ｓを取り出すことができる。ＰＴＰシート１は突出部２ａが１つのタイプで、外形は非常に小さい（例えば、約１．５〜２ｃｍ角）。
【０００３】
従来、特許文献１に開示されているように、ＰＴＰシート（透明パッケージ）に収容された薬品の包装に使用されるカード型包装容器があった。このカード型包装容器は、１枚の台紙から成り、台紙は、折罫線を介して互いに連接された第一及び第二シートを有している。第一シートには、中空の窓部が設けられ、第二シートには、ＰＴＰシートを取り出すための開封部が、切断線で区切られて設けられている。組み立て状態で、第二シートは、折罫線が折れて第一シートに重なり、第二シートの開封部が第一シートの窓部に対向する。そして、間にＰＴＰシートを配した状態で、第二シート開封部以外の部分が第一シートに糊付けされる。
【０００４】
このカード型包装容器は、組み立て状態で、ＰＴＰシート内の薬品を、第一シートの窓部を通じて視認することができ、開封するときは、切断線を切断して開封部を開くことによってＰＴＰシートを取り出し、ＰＴＰシートから収容物を取り出す。
【先行技術文献】
【特許文献】
【０００５】
【特許文献１】実用新案登録第３１８２１０７号公報
【考案の概要】
【考案が解決しようとする課題】
【０００６】
特許文献１のカード型包装容器の場合、収容物を取り出す操作は、カード型包装容器からＰＴＰシートを取り出した後、取り出したＰＴＰシートの突出部を指で押し込んで閉鎖部分を破断させ、収容物を押し出すという手順になる。つまり、使用者は、非常に小さいＰＴＰシートを手で持って、指先で細かい動作を行わなければならない。したがって、使用者が高齢者等の場合、このカード型包装容器は非常に使いにくいという問題があった。
【０００７】
本考案は、上記背景技術に鑑みて成されたものであり、組み立て状態で、ＰＴＰシート内の収容物を視認することができ、収容物を取り出す操作も容易に行うことができるＰＴＰ用包装体を提供することを目的とする。
【課題を解決するための手段】
【０００８】
本考案は、収容物を内側に収容した突出部と前記突出部の周囲に設けられたフランジ部とを有するプラスチック成形体に、破断可能な薄形シートが貼り付けられて、前記突出部の開口端が閉鎖された閉鎖部分を有するＰＴＰシートを包装するためのＰＴＰ用包装体であって、１枚の台紙から成り、前記台紙は、主折罫線を介して互いに連続する第一及び第二外板を有し、前記第一外板の内側には、前記突出部が係合可能な大きさの外側透孔が設けられ、前記第二外板の内側には、前記第二外板の一部を開口させるための開封部が、開封用破断線で区切られて設けられ、前記開封部には、前記開封部を指で摘んで引っ張るための摘み部が設けられ、前記ＰＴＰシートは、前記突出部が前記外側透孔を通じて外側に突出し、前記フランジ部及び前記薄形シートが前記第一外板及び前記第二外板に挟まれて保持され、前記閉鎖部分が前記開封用破断線の間に位置した前記開封部に対向し、使用者が、前記開封用破断線を破断させ、前記開封部を前記第二外板から引き離すと、記第二外板にできた開口から前記閉鎖部分が外に露出するＰＴＰ用包装体である。そして、使用者が、前記外側透孔から外側に突出している前記突出部の頂部を押し込み、前記ＰＴＰシートの前記閉鎖部を破断させると、前記収容物を取り出すことができる。
【０００９】
前記第一外板の、前記主折罫線と反対側の端部に延設され、第一補助折罫線により前記第一外板と区切られた第一内板と、前記第二外板の、前記主折罫線と反対側の端部に延設され、第二補助折罫線により前記第二外板と区切られた第二内板とを有し、前記第一内板の内側には、前記突出部が係合可能な大きさの第一内側透孔が設けられ、前記第二内板の内側には、前記薄形シートの、前記閉鎖部分に対応した大きさの第二内側透孔が設けられ、組み立て状態で、前記第一内板は、前記第一補助折罫線が折れて前記第一外板に重なり、前記外側透孔と前記第一内側透孔とが連通し、前記第二内板は、前記第二補助折罫線が折れて前記第二外板に重なり、前記第二内側透孔が前記開封部に対向し、前記第一内板は、前記主折罫線が折れて前記第二内板に重なり、間に前記ＰＴＰシートを配した状態で、当該ＰＴＰシートに対面しない部分が前記第二内板に糊付けされ、前記ＰＴＰシートは、前記突出部が前記外側透孔及び前記第一内側透孔を通じて外側に突出し、前記フランジ部及び前記薄形シートが前記第一内板及び前記第二内板に挟まれて保持され、前記閉鎖部分が前記第二内側透孔に対向しているものである。
【００１０】
前記第一及び第二内板は、組み立て状態で、前記第一及び第二外板の内側に収まる大きさに設けられていることが好ましい。また、前記開封部の摘み部は、前記第一及び第二外板の端部から突出して設けられ、使用者の指先が入る程度の大きさの透孔が設けられているとさらに良い。
【考案の効果】
【００１１】
本考案の包装体は、構造がシンプルで、しかも、簡単な操作によりＰＴＰシート内の収容物を容易に取り出すことができるので、高齢者等にも使いやすいものである。
【図面の簡単な説明】
【００１２】
【図１】本考案のＰＴＰ用包装体の一実施形態の組み立て状態を示す図であって、第一外板の側から見た斜視図（ａ）、第二外板の側から見た斜視図（ｂ）である。
【図２】この実施形態のＰＴＰ用包装体を形成する台紙を裏面側から見た展開図である。
【図３】この実施形態のＰＴＰ用包装体の組み立て工程を順に示す平面図（ａ）、（ｂ）、（ｃ）である。
【図４】この実施形態のＰＴＰ包装体の開封部を開いた状態を示す図であって、第一外板の側から見た斜視図（ａ）、第二外板の側から見た斜視図（ｂ）である。
【図５】一般的なＰＴＰシートを示す正面図（ａ）、Ａ−Ａ断面図（ｂ）である。
【考案を実施するための形態】
【００１３】
以下、本考案のＰＴＰ用包装台紙の一実施形態について、図面に基づいて説明する。この実施形態のＰＴＰ用包装体１０は、図５に示すＰＴＰシート１を包装するための包装体であり、図１（ａ）、（ｂ）に示すように、組み立て状態で、略長方形のカードのような外形になる。大きさは、例えば６ｃｍ×９ｃｍ程度である、
ＰＴＰ用包装体１０は、厚紙等で成る一枚の台紙１２を組み立てることによって形成される。台紙１２は、図２に示すように、主折罫線１４を介して互いに連続する第一外板１６と第二外板１８とを備えている。
【００１４】
第一外板１６は略長方形で、中央部に、ＰＴＰシート１の突出部２ａが係合可能な大きさの外側透孔２０が設けられている。
【００１５】
第二外板１８は、第一外板１６とほぼ同じ外形で、内側に、第二外板１８の一部を開口させるための開封部２２が設けられている。開封部２２は、主折罫線１４の中央部の２箇所を起点として所定の間隔を空けて設けられた一対の開封用破断線２４ａ，２４ｂと、開封用破断線２４ａ，２４ｂの終点同士を結ぶ折罫線２６と、開封用破断線２４ａ，２４ｂの起点同士を結ぶ切り込み線２８とで囲まれている。開封部２２の切り込み線２８側の端部は、折罫線３０ａで他の部分と区切られた摘み部３０になっている。摘み部３０は、使用者が指で摘まむ部分であり、切り込み線２８側の端部が外向きに膨出し、第一外板１６の内側に少し入り込んでいる。折罫線３０ａ側の端部には、より摘みやすくするための透孔３０ｂが設けられている。透孔３０ｂは、使用者の指先が入る程度の大きさである。
【００１６】
第一外板１６の、主折罫線１４と反対側の端部には、第一外板１６より小さい第一内板３２が延設され、第一補助折罫線３４で第一外板１６と区切られている。第一内板３２は、延出方向の先端側の幅が少し狭くなった凸形状で、中央部に、ＰＴＰシート１の突出部２ａが係合可能な大きさの第一内側透孔３６が設けられている。
【００１７】
第二外板１８の、主折罫線１４と反対側の端部には、第二外板１８より小さい第二内板３８が延設され、第二補助折罫線４０で第二外板１８と区切られている。第二内板３８は、第一内板３２とほぼ同じ外形で、中央部に、ＰＴＰシート１の閉鎖部分３ａに対応した大きさの第二内側透孔４２が設けられている。
【００１８】
次に、台紙１２を用いたＰＴＰシート１の包装方法、すなわち、ＰＴＰ用包装体１０の組み立て方法の一例を説明する。ここでは、台紙１２の表面が凸になる折り方を正折り、裏面が凸になる折り方を逆折りと称する。
【００１９】
まず、第一補助折罫線３４を正折りして第一内板３２を第一外板１６に重ね、第二補助折罫線４０を正折りして第二内板３８を第二外板１８に重ねる。この状態で、図３（ａ）に示すように、外側透孔２０と第一内側透孔３６とが連通し、第二内側透孔４０が開封部２２の内側に対向する。次に、図３（ｂ）に示すように、第二内板３８の表面側の中央部に、ＰＴＰシート１を載置する。このとき、ＰＴＰシート１は、プレスチック成形体２の突出部２ａを上にして、薄形シート３を第二内板３８に当接させる。
【００２０】
そして、第二内板３８の表面の、ＰＴＰシート１が重なっていない部分に、糊４４を塗布した後、主折罫線１４を正折りして、第一外板１６及び第一内板３２を第二外板１８及び第二内板３８に重ね、第一内板３２と第二内板３８の表面同士を互いに糊付けする。この状態で、ＰＴＰシート１は、図３（ｃ）に示すように、突出部２ａが外側透孔２０及び第一内側透孔３６を通じて外側に突出する。また、フランジ部２ｂ及び薄形シート３が第一内板３２及び第二内板３８に挟まれて保持され、閉鎖部分３ａが第二内側透孔４２に対向する。
【００２１】
これでＰＴＰシート１の包装の作業が終了し、図１（ａ）、（ｂ）に示すＰＴＰ用包装体１０の組み立て状態になる。ＰＴＰ用包装体１０は、長方形のカードのようなコンパクトな外形になり、開封部２２の摘み部３０の先端部が長方形の一端辺から側方に突出し、使用者が摘まみやすい状態になる。
【００２２】
使用者が収容物Ｓを取り出すときは、まず、片方の手で第一及び第二外板１６，１８の適当な箇所を把持し、他方の手で開封部２２の摘み部３０を摘まんで引っ張り、開封用破断線２４ａ，２４ｂを破断させることによって、開封部２２を第二外板１８から引き離す。すると、図４（ｂ）に示すように、第二外板１８にできた開口から、第二内側透孔４２とＰＴＰシート１の閉鎖部分３ａが外に露出する。そして、ＰＴＰシート１の突出部２ａの頂部を外側から押し込んで閉鎖部分３ａを破断させると、第二内側透孔４２を通じて収容物Ｓを取り出すことができる。
【００２３】
以上説明したように、ＰＴＰ用包装体１０は、シンプルな構造の台紙１２を組み立てることによってＰＴＰシート１を容易に包装することができ、薄いカード形の非常にスマートな包装状態が得られる。しかも、ＰＴＰシート１に収容された収容物Ｓを、ＰＴＰ用包装体１０内に包装された状態で、外から視認することができる。
【００２４】
また、収容物Ｓを取り出す操作は、ＰＴＰ用包装体１０からＰＴＰシート１を取り出さずに行うことができる。つまり、使用者は、ハンドリングしやすい大きさのＰＴＰ用包装体１０を適当に手で持って、ＰＴＰシート１の突出部２ａを押し込む操作を行えば、簡単に収容物Ｓを取り出すことができる。透孔３０ｂは、使用者の指先が入る程度の大きさであり、操作性が良い。したがって、高齢者等にも非常に使いやすいものである。
【００２５】
この他、ＰＴＰ用包装体１０の携帯時等において、不用意に突出部２ａが押されても、開封部２２により閉鎖部分３ａが保持され、収容物Ｓが飛び出すこともない。ＰＴＰシート１は、第一及び第二外板１６，１８と第一及び第二内板３２，３８とにより挟持され、安定に保持され、損傷や落下、収容物の破損等を生じることもない。
【００２６】
なお、本考案のＰＴＰ用包装体は、上記実施形態に限定されるものではない。例えば、第一及び第二外板や第一及び第二内板の形状は、使用者のハンドリングのしやすさやデザイン性等を考慮して、適宜変更することができる。上記のＰＴＰ能包装体１０の場合は、組み立て状態で、第一及び第二外板１６，１８の間に第一及び第二内板３２，３８の全体が収まる構造にして、ＰＴＰシート１の保護を強化している。例えば、第一及び第二外板１６，１８を小さくして、第一及び第二内板３２，３８の一部が外に露出する構造してもよく、各板に異なる着色を施すことによって、デザイン性を向上させることができる。
【００２７】
また、第一及び第二内板３２，３８を省略して、ＰＴＰシート１を第一及び第二外板１６，１８により挟持するようにしても良い。この場合、開封用破断線２４ａ，２４ｂはＰＴＰシート１の内側に位置して、開封後も、第一及び第二外板１６，１８によりＰＴＰシート１を保持した状態を維持していることが好ましい。
【００２８】
開封部の摘み部は、開封用破断線を破断させる操作を容易にするものであればよく、上記の摘み部３０（折罫線３０ａ、透孔３０ｂ）以外の形状に変更してもよい。また、摘み部は必要に応じて省略してもよい。
【００２９】
開封部を区切る開封用破断線のレイアウトは、適宜変更することができる。上記の開封用破断線２４ａ，２４ｂは、開封用破断線２４ａ，２４ｂが破断した後、開封部２２が第二外板１８から分離しないようにレイアウトしてあり、開封部２２が独立したゴミにならない等の利点がある。例えば、突出部２ａを押し込んで収容物を取り出す操作を行うとき、開封部２２が近くにあって邪魔になるような場合は、折罫線２６の部分も開封用破断線とし、開封部２２が第二外板１８から切り離されるようにしてもよい。
【００３０】
ＰＴＰシートに複数の突出部が設けられ、それぞれに収容物が収容されている場合は、突出部毎に、外側透孔、第一内側透孔及び第二内側透孔を設けることが好ましい。開封部は突出部毎に設けてもよいし、すべての第二内側透孔に対向する大きい開封部を１つ設けてもよい。
【００３１】
その他、台紙は、厚紙以外の素材を使用してもよい。また、ＰＴＰシートに収容される収容物は、医療用の薬剤に限らず他の商品でもよい。
【符号の説明】
【００３２】
１  ＰＴＰシート
２  プラスチック成形体
２ａ  突出部
２ｂ  フランジ部
３  薄形シート
３ａ  閉鎖部
１０  ＰＴＰ用包装体
１２  台紙
１４  主折罫線
１６  第一外板
１８  第二外板
２０  外側透孔
２２  開封部
２４ａ，２４ｂ  開封用破断線
３０  摘み部
３２  第一内板
３４  第一補助折罫線
３６  第一内側透孔
３８第二内板
４０  第二補助折罫線
４２  第二内側透孔
４４  糊
Ｓ  収容物
【図１】
0003206241.tif 000003
【図２】
0003206241.tif 000004
【図３】
0003206241.tif 000005
【図４】
0003206241.tif 000006
【図５】
0003206241.tif 000007